(57)【要約】【課題】  パネル本体部分の表示面と端子部のリード端子形成面とが反対面側に位置している表示パネルに適用される点灯検査装置において、リード端子形成面の下方に配置される昇降台の裏面側スペースの縮小と、電極支持板の高さ調整ネジの操作性を改善する。【解決手段】  昇降台上に載置される電極支持板１４０を備え、その上端面１４１に配置されるプローブ電極を端子部のリード端子形成面に下方から接触させる点灯検査装置において、電極支持板１４１を上記端子部に対して平行とするための平行度調整手段１３０として、電極支持板１４１をほぼ垂直として上下動可能に支持する側板３１３ｂを含む筐体１３１と、各々が電極支持板１４１の下端の所定距離離れた部分に接する同一傾斜角の楔面１３４を有して筐体１３１内にほぼ水平方向に移動可能に配置された一対の高さ調整ブロック１３３と、各高さ調整ブロック１３３を個別的に移動させる調整ネジ１３６とを備えている。【選択図】  図３
2006098296.tif 000002
【特許請求の範囲】
【請求項１】
端子部を一体に含む光透過基板を有し、上記端子部には上記光透過基板の視認側とは反対側の面にリード端子が形成されている表示パネルを検査対象として、
上記リード端子の形成面を下向きとして上記表示パネルを支持する支持基台と、上記端子部の下方に配置される昇降台と、上記昇降台上に支持され上端面に上記リード端子に接触するプローブ電極が配置される電極支持板と、上記電極支持板の上端面を上記リード端子の形成面に対して平行とする平行度調整手段とを備え、上記昇降台の上昇により上記プローブ電極を上記リード端子に接触させて点灯検査を行う表示パネルの点灯検査装置において、
上記平行度調整手段が、上記電極支持板をほぼ垂直として上下動可能に支持する側板を含む筐体と、各々が上記電極支持板の下端に接する同一傾斜角の楔面を有して上記筐体内にほぼ水平方向に移動可能に配置された一対の高さ調整ブロックと、上記各高さ調整ブロックを個別的に移動させるブロック移動手段とを備えていることを特徴とする表示パネルの点灯検査装置。
【請求項２】
上記電極支持板の下端には上記高さ調整ブロックの上記楔面と平行な傾斜面を有する従動ブロックが設けられていることを特徴とする請求項１に記載の表示パネルの点灯検査装置。
【請求項３】
上記平行度調整手段には上記電極支持板を下方に向けて付勢する付勢手段が設けられていることを特徴とする請求項１または２に記載の表示パネルの点灯検査装置。
【請求項４】
上記平行度調整手段には上記側板に対して上記電極支持板を所定の調整位置に固定する固定ネジが設けられていることを特徴とする請求項１，２または３に記載の表示パネルの点灯検査装置。
【請求項５】
端子部を一体に含む光透過基板を有し、上記端子部には上記光透過基板の視認側とは反対側の面にリード端子が形成されている表示パネルを検査対象として、
上記リード端子の形成面を下向きとして上記表示パネルを支持する支持基台と、上記端子部の下方に配置される昇降台と、上記昇降台上に支持され上端面に上記リード端子に接触するプローブ電極が配置される電極支持板と、上記電極支持板の上端面を上記リード端子の形成面に対して平行とする平行度調整手段とを備え、上記昇降台の上昇により上記プローブ電極を上記リード端子に接触させて点灯検査を行う表示パネルの点灯検査装置において、
上記平行度調整手段が、上記電極支持板の底面のほぼ中央に配置された球面状の軸受手段と、各々が同一傾斜角の楔面を有して上記電極支持板の底面側の四隅にほぼ水平方向に移動可能に配置された４つの高さ調整ブロックと、上記各高さ調整ブロックを個別的に移動させるブロック移動手段とを備え、上記４つの高さ調整ブロックのうち、上記電極支持板の板面と平行な方向に沿って対として配置されるもの同士の上記楔面が互いに向かい合うように配置されていることを特徴とする表示パネルの点灯検査装置。
【請求項６】
上記高さ調整ブロックにはほぼ水平方向に沿ってネジ挿通孔が穿設されているとともに、上記電極支持板側には上記ネジ挿通孔と同軸的な雌ネジ穴が形成されており、上記ブロック移動手段が上記ネジ挿通孔を貫通して上記雌ネジ穴に螺合する雄ネジからなることを特徴とする請求項５に記載の表示パネルの点灯検査装置。
【発明の詳細な説明】
【技術分野】
【０００１】
本発明は表示パネルの点灯検査装置に関し、さらに詳しく言えば、端子部のリード端子形成面が視認側の反対側に位置している表示パネルに好適な表示パネルの点灯検査装置に関するものである。
【背景技術】
【０００２】
表示パネルには、外部の表示駆動回路から表示信号が印加されるリード端子を有する端子部が設けられているが、表示が視認できるパネル本体部分の表示面と端子部のリード端子形成面とが反対面側に位置している表示パネルには、例えば有機ＬＥＤ（Ｏｒｇａｎｉｃ  Ｌｉｇｈｔ  Ｅｍｉｔｔｉｎｇ  Ｄｉｏｄｅ）パネルがある。この有機ＬＥＤパネルは有機ＥＬ（Ｅｌｅｃｔｒｏ  Ｌｕｍｉｎｅｓｃｅｎｃｅ）パネルとも呼ばれ、その基本的な構成を図５により説明する。
【０００３】
図５には１画素分しか示されていないが、この表示パネルは光透過性基板（多くの場合、ガラス基板）１０を備え、その片面側に陽極電極２０，有機発光材を含むＥＬ形成層２１および陰極電極２２が順次積層され、その背面側に封止基板２３が被せられる。ガラス基板１０の表示面１０ａ側には偏光膜２４が貼着される。
【０００４】
なお、封止基板２３は内部に例えば窒素ガスが封入された状態で、その周縁が紫外線硬化型樹脂などのシール材２３ａにて封止される。また、封止基板２３内にＢａＯ粉末などの捕水材２３ｂが設けられることもある。
【０００５】
パネル本体部分には上記した構成の画素がマトリクス状に多数配置され、パネル本体部分に隣接して設けられている端子部１１に陽極電極２０と陰極電極２２とからそれぞれリード端子が群として引き出される。作図の都合上、図５には陽極電極２０側のリード端子２０ａのみを示すが、陰極電極２２のリード端子は紙面と直交する方向に延設されている端子部１１側に引き出される。
【０００６】
端子部１１には、例えばベアチップ３１が実装されているフレキシブル基板（ＣＯＦ；Ｃｈｉｐ  Ｏｎ  Ｆｉｌｍ）３０が図示しない異方性導電フィルムを介して接続され、フレキシブル基板３０から陽極電極２０と陰極電極２２との間に表示信号を印加することによりＥＬ形成層２１が発光する。
【０００７】
点灯検査はフレキシブル基板３０が接続される前に行われるが、有機ＬＥＤパネルは上記したように表示面１０ａと端子部１１のリード端子形成面１１ａとが反対側に位置しているため、点灯検査にあたっては、図６に示すように表示面１０ａを上にして点灯検査機にかける。図７に有機ＬＥＤパネルを点灯検査機上に配置したときの陽極電極２０側の端子部１１と、その検査機側の対応関係を示す。
【０００８】
点灯検査機上において、有機ＬＥＤパネルはそのパネル本体部分が図示しない支持基台に吸着固定されることから、点灯検査機はリード端子形成面１１ａが下向きに配置される端子部１１に対して昇降する昇降台４０を備えている。
【０００９】
昇降台４０には、容易に変形しない金属板などからなる電極支持板４１が立設されており、電極支持板４１の上端面には、端子部１１に形成されているリード端子２０ａと１対１で対応するプローブ電極４２ａを有する給電用のフレキシブル基板４２の一端が配置される。フレキシブル基板４２を用いるのは、その可撓性を利用して昇降台４０の上昇・下降に追従させるためである。
【００１０】
プローブ電極４２ａは昇降台４０が上昇することにより、端子部１１のリード端子２０ａに接触するが、その際、点灯検査の信頼性を確保するうえですべてのリード端子２０ａに対してプローブ電極４２ａを正確に接触させることが要件とされる。
【００１１】
そのためには、リード端子２０ａとプローブ電極４２ａとの間に位置ずれがないことを前提として、端子部１１のリード端子形成面１１ａと電極支持板４１の上端面とが平行であることが求められる。この平行度を保つ方法の一つとして、電極支持板４１の上端面とフレキシブル基板４２との間にゴム弾性層を介装する方法がある。
【００１２】
これによれば、リード端子形成面１１ａに対して電極支持板４１の上端面が傾きをもっていても、この傾きがゴム弾性層によって吸収されるが、これには端子部１１に対して電極支持板４１を強く押し付ける必要がある。しかも、傾きがあると端子部１１に対する電極支持板４１の押圧力が不均一となる。これより、ガラス基板１０に無理な応力がかけられ、これが原因で表示不良となることがあるので、ゴム弾性層を用いることは好ましくない。
【００１３】
そこで、昇降台４０の裏面側に電極支持板４１の底面に作用してその傾きを調整するための高さ調整ネジ４３を数箇所に設け、この高さ調整ネジ４３にて端子部１１に対する電極支持板４１の平行度を調整するようにしている。
【００１４】
なお、表示面と端子部のリード端子形成面とが反対面側に位置する表示パネルとしては、上記有機ＬＥＤパネルのほかに、図８に示す液晶表示パネルがある。この液晶表示パネルは、２枚のパネル基板（透明電極基板）５１，５２のうち、裏面側のパネル基板５２が図示しない全反射の光反射層を備え、表示観察面側のパネル基板５１に端子部５３が連設されている全反射型である。
【００１５】
このような構成の全反射型液晶表示パネルでは、表示面５１ａと端子部５３のリード端子形成面５３ａは反対面側に位置しているため、その点灯検査は上記の有機ＬＥＤパネルと同じく、上昇・下降可能な電極支持基板４１を有する点灯検査機によって行われる。
【発明の開示】
【発明が解決しようとする課題】
【００１６】
しかしながら、上記した従来の点灯検査機では、昇降台４０の裏面側に電極支持板４１の高さ調整ネジ４３が設けられているため、昇降台４０の裏面側に作業者の手が入るスペースを必要とする。したがって、そのスペース分だけ装置が大型となるばかりでなく、高さ調整ネジ４３を操作しづらい、という問題がある。
【００１７】
したがって、本発明の課題は、パネル本体部分の表示面と端子部のリード端子形成面とが反対面側に位置している表示パネルに適用される点灯検査装置において、リード端子形成面の下方に配置される昇降台の裏面側スペースの縮小と、電極支持板の高さ調整ネジに対する操作性を改善することにある。
【課題を解決するための手段】
【００１８】
上記課題を解決するため、請求項１に記載の発明は、端子部を一体に含む光透過基板を有し、上記端子部には上記光透過基板の視認側とは反対側の面にリード端子が形成されている表示パネルを検査対象として、上記リード端子の形成面を下向きとして上記表示パネルを支持する支持基台と、上記端子部の下方に配置される昇降台と、上記昇降台上に支持され上端面に上記リード端子に接触するプローブ電極が配置される電極支持板と、上記電極支持板の上端面を上記リード端子の形成面に対して平行とする平行度調整手段とを備え、上記昇降台の上昇により上記プローブ電極を上記リード端子に接触させて点灯検査を行う表示パネルの点灯検査装置において、上記平行度調整手段が、上記電極支持板をほぼ垂直として上下動可能に支持する側板を含む筐体と、各々が上記電極支持板の下端に接する同一傾斜角の楔面を有して上記筐体内にほぼ水平方向に移動可能に配置された一対の高さ調整ブロックと、上記各高さ調整ブロックを個別的に移動させるブロック移動手段とを備えていることを特徴としている。
【００１９】
請求項２に記載の発明は、上記請求項１において、上記電極支持板の下端には上記高さ調整ブロックの上記楔面と平行な傾斜面を有する従動ブロックが設けられていることを特徴としている。
【００２０】
請求項３に記載の発明は、上記請求項１または２において、上記平行度調整手段には上記電極支持板を下方に向けて付勢する付勢手段が設けられていることを特徴としている。
【００２１】
請求項４に記載の発明は、上記請求項１，２または３において、上記平行度調整手段には上記側板に対して上記電極支持板を所定の調整位置に固定する固定ネジが設けられていることを特徴としている。
【００２２】
請求項５に記載の発明は、端子部を一体に含む光透過基板を有し、上記端子部には上記光透過基板の視認側とは反対側の面にリード端子が形成されている表示パネルを検査対象として、上記リード端子の形成面を下向きとして上記表示パネルを支持する支持基台と、上記端子部の下方に配置される昇降台と、上記昇降台上に支持され上端面に上記リード端子に接触するプローブ電極が配置される電極支持板と、上記電極支持板の上端面を上記リード端子の形成面に対して平行とする平行度調整手段とを備え、上記昇降台の上昇により上記プローブ電極を上記リード端子に接触させて点灯検査を行う表示パネルの点灯検査装置において、上記平行度調整手段が、上記電極支持板の底面のほぼ中央に配置された球面状の軸受手段と、各々が同一傾斜角の楔面を有して上記電極支持板の底面側の四隅にほぼ水平方向に移動可能に配置された４つの高さ調整ブロックと、上記各高さ調整ブロックを個別的に移動させるブロック移動手段とを備え、上記４つの高さ調整ブロックのうち、上記電極支持板の板面と平行な方向に沿って対として配置されるもの同士の上記楔面が互いに向かい合うように配置されていることを特徴としている。
【００２３】
請求項６に記載の発明は、上記請求項５において、上記高さ調整ブロックにはほぼ水平方向に沿ってネジ挿通孔が穿設されているとともに、上記電極支持板側には上記ネジ挿通孔と同軸的な雌ネジ穴が形成されており、上記ブロック移動手段が上記ネジ挿通孔を貫通して上記雌ネジ穴に螺合する雄ネジからなることを特徴としている。
【発明の効果】
【００２４】
上記請求項１に記載の発明によれば、電極支持板の平行度を調整するにはブロック移動手段により高さ調整ブロックを水平方向に移動させればよいため、昇降台の裏面側に作業者の手を入れる必要がない。したがって、昇降台の裏面側のスペースを縮小できるとともに、操作性の改善が図れる。
【００２５】
上記請求項２に記載の発明によれば、電極支持板の下端に高さ調整ブロックの楔面と平行な傾斜面を有する従動ブロックが設けられていることにより、高さ調整ブロックの水平運動を電極支持板の上下運動にスムースに変換することができる。
【００２６】
上記請求項３に記載の発明によれば、バネなどの付勢手段により電極支持板を下方に向けて付勢するようにしたことにより、電極支持板のガタツキをなくすことができる。また、上記請求項４に記載の発明によれば、一旦平行度出しした電極支持板を固定ネジにより固定できるため、当該点灯検査を移設するときなどにおいて再度調整する必要がなくなる。
【００２７】
上記請求項５に記載の発明によれば、電極支持板の底面のほぼ中央が球面状の軸受手段により支持されるとともに、電極支持板の底面の四隅に楔面を有する高さ調整ブロックが水平方向に移動可能に配置されていることにより、電極支持板の傾きをその板面と平行な方向および板面と直交する方向のいずれにでも調整することができる。
【００２８】
また、上記請求項６に記載の発明によれば、上記請求項５における高さ調整ブロックを電極支持板の雌ネジ穴に螺合する雄ネジによって移動させるようにしたことにより、平行度調整手段の構成をより小型でかつ簡素化することができる。
【発明を実施するための最良の形態】
【００２９】
次に、図１ないし図４により本発明の実施形態について説明するが、本発明はこれに限定されるものではない。図１ないし図３は本発明の第１実施形態についてのもので、図１は点灯検査装置の支持基台上に表示パネルをセットした状態を示す模式的な平面図，図２はその側面図，図３（ａ）は平行度調整手段を示す正面図，図３（ｂ）は図３（ａ）のＡ−Ａ線断面図である。図４（ａ）〜（ｃ）は本発明の第２実施形態の説明図である。
【００３０】
図１および図２を参照して、まず、点灯検査する表示パネルＰは、視認側の面であるパネル本体部分の表示面と端子部のリード端子形成面とが反対面側に位置している表示パネルで、これには先の図５で説明した有機ＬＥＤパネルと図８で説明した全反射型の液晶表示パネルなどが含まれるが、この例において表示パネルＰは有機ＬＥＤパネルとする。その構成要素の参照符号は図５のものを援用する。
【００３１】
この表示パネルＰは、パネル本体部分１の隣接する２辺に沿って配置された端子部１１を備え、その一辺側の端子部には例えば陽極電極２０のリード端子群２０ａが引き出され、他辺側の端子部には陰極電極２２のリード端子群２２ａが引き出されている。
【００３２】
点灯検査するにあたって、パネル本体部分１がその表示面１０ａを上向きとして支持基台１１０上に載置され、図示しない真空吸着手段により固定される。端子部１１はリード端子形成面１１ａを下向きとして支持基台１１０から張り出した状態に置かれる。
【００３３】
支持基台１１０の下方には図示しない駆動手段により駆動される昇降台１２０が設けられている。昇降台１２０の駆動手段はエアシリンダなどの公知のものであってよい。昇降台１２０上には、平行度調整手段１３０を介して電極支持板１４０が載置されている。電極支持板１４０は容易に変形しない金属板から好ましく形成され、端子部１１と対向する平坦な上端面１４１を備えている。
【００３４】
図示されていないが、電極支持板１４０の上端面１４１には、先の図７で説明したのと同じく、リード端子群２０ａ，２２ａに対応するプローブ電極４２ａを有する給電用のフレキシブル基板４２の一端が配置される。この例では、リード端子群ごとに電極支持板１４０が平行度調整手段１３０を備えて割り当てられているが、その平行度調整手段１３０の構成は同一であるため、図３（ａ）（ｂ）によりその一つについて説明する。
【００３５】
平行度調整手段１３０は、昇降台１２０上に配置される筐体１３１を備えている。この例において、筐体１３１には底板１３１ａと、その両端からほほ垂直に立ち上がる左右一対の側板１３１ｂ，１３１ｃとが含まれており、背の高い方の側板１３１ｂに電極支持板１４０が端子部１１に対してほぼ垂直となるように２つの固定ネジ１３２を介して取り付けられる。
【００３６】
図３（ａ）に示すように、各固定ネジ１３２は電極支持板１４０の左右両側のほぼ同じ高さ位置に配置され、この各固定ネジ１３２に対応して、電極支持板１４０には、図３（ｂ）に示すように固定ネジ１３２のネジ軸部分よりも大径のネジ挿通孔１４２が穿設されている。
【００３７】
筐体１３１の底板１３１ａ上には、２つの高さ調整ブロック１３３がほぼ水平方向に摺動可能に配置されている。この２つの高さ調整ブロック１３３は、図３（ａ）に示すように、電極支持板１４０の下端の両側に配置され、その各々には図３（ｂ）に示すように、水平方向の移動を電極支持板１４０の垂直方向の移動に変換する同一傾斜角の楔面１３４が形成されている。
【００３８】
本発明の好ましい態様によれば、電極支持板１４０の下端の両側には、図３（ｂ）に示すように、上記楔面１３４と平行な傾斜面１４４を有する従動ブロック１４３が設けられる。この従動ブロック１４３を高さ調整ブロック１３３に常時密接させるため、電極支持板１４０は側板１３１ｂ側に張り出すアーム１４５を備え、アーム１４５と側板１３１ｂとの間には、電極支持板１４０を高さ調整ブロック１３３の楔面１３４に向けて付勢する引っ張りバネ１４６が介装されている。
【００３９】
楔面１３４と傾斜面１４４の傾斜角度は任意に決められてよいが、高さ調整ブロック１３３の水平方向の移動量をＳ１，電極支持板１４０の垂直方向との移動量をＳ２として、上記傾斜角度が４５゜である場合にはＳ１＝Ｓ２（すなわち１：１）となり、４５゜未満の場合にはＳ１＞Ｓ２，４５゜を超えるとＳ１＜Ｓ２となる。
【００４０】
各高さ調整ブロック１３３はブロック移動手段によって個別的にその移動量が制御されるが、この例において、ブロック移動手段には背の低い方の側板１３１ｃに形成された水平方向の雌ネジ孔１３５に螺合して高さ調整ブロック１３３の背面に当接する調整ネジ１３６が用いられている。
【００４１】
上記の構成において、端子部１１に対する電極支持板１４０の平行度を調整するには、まず、各固定ネジ１３２を緩める。なお、調整ネジ１３６を時計方向に回したときには同調整ネジ１３６が図３（ｂ）の左側に向けて前進し、反時計方向に回したときには同調整ネジ１３６が右側に向けて後退するものとする。
【００４２】
電極支持板１４０の上端面１４１を端子部１１のリード端子形成面１１ａと平行とするうえで、図３（ａ）において電極支持板１４０を例えば左上がりとなるように調整するには、図３（ａ）の左側の調整ネジ１３６Ａを時計方向に回して左側の高さ調整ブロック１３３Ａを図３（ｂ）の左方向に移動させ、その楔面１３４を介して電極支持板１４０の左側を所定量持ち上げて平行出ししたのち、各固定ネジ１３２を締め付けてその位置に固定すればよい。
【００４３】
同様に、電極支持板１４０を右上がりとなるように調整するには、図３（ａ）の右側の調整ネジ１３６Ｂを時計方向に回して右側の高さ調整ブロック１３３Ｂを図３（ｂ）の左方向に移動させればよい。
【００４４】
これとは反対に、電極支持板１４０の片側（左側もしくは右側）を下げて平行出しするには、図３（ａ）の左側の調整ネジ１３６Ａもしくは右側の調整ネジ１３６Ｂを反時計方向に回して左側の高さ調整ブロック１３３Ａもしくは右側の高さ調整ブロック１３３Ｂを図３（ｂ）の右方向に後退させればよい。
【００４５】
また、図２のように、昇降台１２０上に複数の電極支持板１４０が設けられている場合で、上記のように各電極支持板１４０を平行出ししたのち、各電極支持板１４０の高さを揃えるには、左側の調整ネジ１３６Ａと右側の調整ネジ１３６Ｂとを同方向に同量回転させて各電極支持板１４０を高さ方向に平行移動させればよい。
【００４６】
なお、図２において右側に配置されている電極支持板（リード端子群２２ａ用）１４０の平行度調整手段１３０は、他の電極支持板の平行度調整手段１３０と異なった形態で示されているが、これは作図上の都合によるもので内部構造は実質的に同一である。
【００４７】
上記の第１実施形態では、電極支持の傾き調整をその板面と平行な方向のみとしているが、次に図４により、電極支持板の傾き調整をその板面と平行な方向（Ｘ方向）および板面と直交する方向（Ｙ方向）のいずれにでも調整することができるようにした第２実施形態について説明する。図４（ａ）は平面図，図４（ｂ）は正面図，図４（ｃ）は右側面図である。
【００４８】
この第２実施形態において、電極支持板には参照符号２００が付されており、その上端面２０１には、先の図７で説明したのと同じく、リード端子群２０ａ，２２ａに対応するプローブ電極４２ａを有する給電用のフレキシブル基板４２の一端が配置される。
【００４９】
電極支持板２００は、図４（ｃ）に示すように側面視で逆Ｔ字状であって、電極支持板２００の下端には、従動ブロック２１０が同電極支持板２００と直交するように一体的に形成されている。すなわち、この従動ブロック２１０には、電極支持板２００の一方の面側（図４（ｃ）において右側）に張り出す第１従動ブロック２１１と、他方の面側（図４（ｃ）において左側）に張り出す第２従動ブロック２１２とが含まれている。
【００５０】
図４（ｂ）に示すように、電極支持板２００は上記第１実施形態での電極支持板１４０と同じく昇降台１２０上に配置されるが、この場合、従動ブロック２１０はその中央部分において球面状の軸受手段３００により全方向に揺動可能に支持される。
【００５１】
この例において、軸受手段３００は、昇降台１２０側に突設された上端が凸球面状の軸体３０１と、従動ブロック２１０の底面中央部分に形成された凹球面３０２との組み合わせからなるが、軸体３０１を従動ブロック２１０側に形成し、凹球面３０２を昇降台１２０側に形成してもよい。また、軸受手段３００にピボット軸受が適用されてもよい。
【００５２】
従動ブロック２１０の底面側の四隅には、それぞれ高さ調整ブロック３１０，３２０，３３０，３４０が配置される。すなわち、第１従動ブロック２１１の対向する２辺に高さ調整ブロック３１０，３２０が対として配置され、第２従動ブロック２１２の対向する２辺に残りの高さ調整ブロック３３０，３４０が対として配置される。
【００５３】
高さ調整ブロック３１０，３２０の対と、高さ調整ブロック３３０，３４０の対は同一構成であるため、図４（ｂ）により、第２従動ブロック２１２側の高さ調整ブロック３３０，３４０の対について説明する。
【００５４】
高さ調整ブロック３３０，３４０は、ともに同一傾斜角の楔面３３１，３４１を備えており、それらの楔面３３１，３４１同士を向かい合わせとした状態で昇降台１２０上に摺動自在に配置される。これに対応して、第２従動ブロック２１２の両端には、楔面３３１，３４１と同一傾斜角の傾斜面２１２ａ，２１２ｂが形成されることが好ましい。
【００５５】
高さ調整ブロック３３０，３４０を移動させるため、その各々に調整ネジ３０Ｂ，３０Ｄが取り付けられる。この調整ネジ３０Ｂ，３０Ｄを取り付けるため、高さ調整ブロック３３０，３４０には、それぞれネジ挿通孔３３２，３４２が水平方向に穿設され、第２従動ブロック２１２の両端には、調整ネジ３０Ｂ，３０Ｄと螺合する雌ネジ穴２１２ｃ，２１２ｄがネジ挿通孔３３２，３４２と同軸的に形成される。
【００５６】
第１従動ブロック２１１側の高さ調整ブロック３１０，３２０も、第２従動ブロック２１２側の高さ調整ブロック３３０，３４０と同様な楔面と、ブロック移動用の調整ネジ３０Ａ，３０Ｃとを備えている。
【００５７】
また、電極支持板２００の昇降台１２０からの浮き上がりを防止するため、この例においては、電極支持板２００はその両側面にアーム２０１を有し、アーム２０１と昇降台１２０との間に引っ張りバネ２０２が介装され、この引っ張りバネ２０２によって電極支持板２００が常時昇降台１２０側に引っ張られるようにしている。
【００５８】
この第２実施形態において、電極支持板２００の傾きをその板面と平行な方向（Ｘ方向）に調整する場合について説明する。図４（ｂ）において、電極支持板２００のＸ方向における傾きを例えば左下がりとする場合には、調整ネジ３０Ｃ，３０Ｄを例えば反時計方向に回して高さ調整ブロック３２０，３４０を左方向に移動（後退）させるとともに、調整ネジ３０Ａ，３０Ｂを時計方向に同じ量だけ回して高さ調整ブロック３１０，３３０を左方向に移動（前進）させる。なお、前進とは調整ネジの送り出し方向で、後退とは調整ネジの引き込み方向である（以下に同じ）。
【００５９】
これに対して、図４（ｂ）において、電極支持板２００のＸ方向における傾きを例えば右下がりに調整する場合には、調整ネジ３０Ａ，３０Ｂを例えば反時計方向に回して高さ調整ブロック３１０，３３０を右方向に移動（後退）させるとともに、調整ネジ３０Ｃ，３０Ｄを時計方向に同じ量だけ回して高さ調整ブロック３２０，３４０を右方向に移動（前進）させればよい。
【００６０】
次に、電極支持板２００の傾きをその板面と直交する方向（Ｙ方向）に調整する場合について説明する。図４（ｃ）において、電極支持板２００のＹ方向における傾きを例えば左下がりとする場合には、調整ネジ３０Ｂ，３０Ｄをともに例えば反時計方向に同じ量回して高さ調整ブロック３３０を図４（ｂ）において右側に移動させるとともに、高さ調整ブロック３４０を左側に移動させる。すなわち、高さ調整ブロック３３０，３４０をともに後退させる。これにより、従動ブロック２１０の第２従動ブロック２１２側が下がる。
【００６１】
次に、調整ネジ３０Ａ，３０Ｃをともに時計方向に同じ量だけ回して高さ調整ブロック３１０を図４（ｂ）において左側に移動させるとともに、高さ調整ブロック３２０を右側に移動させる。すなわち、高さ調整ブロック３１０，３２０をともに前進させる。これにより、従動ブロック２１０の第１従動ブロック２１１側が、第２従動ブロック２１２側が下がった分だけ持ち上げられる。
【００６２】
これとは反対に、電極支持板２００のＹ方向における傾きを右下がりとする場合には、調整ネジ３０Ａ，３０Ｃをともに反時計方向に回し、調整ネジ３０Ｂ，３０Ｄをともに時計方向に回せばよい。
【００６３】
上記第１実施形態および第２実施形態のいずれにしても、端子部に対する電極支持板の平行度を調整する場合、昇降台の裏面側に手を回して調整ネジを操作しなくてよいため、昇降台の裏面側のスペースを縮小できるとともに、操作性の改善が図れる。
【図面の簡単な説明】
【００６４】
【図１】本発明において点灯検査装置の支持基台上に表示パネルをセットした状態を示す模式的な平面図。
【図２】上記点灯検査装置を示す側面図。
【図３】（ａ）上記点灯検査装置が備える平行度調整手段を示す正面図，（ｂ）そのＡ−Ａ線断面図。
【図４】（ａ）本発明の第２実施形態を示す平面図，（ｂ）一部に断面を含む正面図，（ｃ）右側面図。
【図５】有機ＬＥＤパネルの構成を示す模式的な断面図。
【図６】上記有機ＬＥＤパネルを点灯検査する場合の向きを示す概略的な断面図。
【図７】従来の点灯検査を示す概略的な側面図。
【図８】全反射型の液晶表示パネルを示す概略的な側面図。
【符号の説明】
【００６５】
Ｐ  表示パネル
１  パネル本体部分
１０ａ  表示面
１１  端子部
１１ａ  リード端子形成面
２０ａ，２２ａ  リード端子群
１１０  支持基台
１２０  昇降台
１３０  平行度調整手段
１３１  筐体
１３１ａ  底板
１３１ｂ，１３１ｃ  側板
１３２  固定ネジ
１３３，３１０，３２０，３３０，３４０  高さ調整ブロック
１３４，３３１，３４２  楔面
１３６  調整ネジ
１４０，２００  電極支持板
１４１，２０１  上端面
１４３，２１０  従動ブロック
１４４，２１２ａ，２１２ｂ  傾斜面
１４６，２０２  引っ張りバネ
３００  球面状の軸受手段
【図１】
2006098296.tif 000003
【図２】
2006098296.tif 000004
【図３】
2006098296.tif 000005
【図４】
2006098296.tif 000006
【図５】
2006098296.tif 000007
【図６】
2006098296.tif 000008
【図７】
2006098296.tif 000009
【図８】
2006098296.tif 000010